【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
記録材の画像を形成するために所定の速度で該記録材を搬送する搬送手段と、
前記記録材に画像を形成する画像形成手段と、
前記記録材に光を照射する光照射手段および該光照射手段により照射され該記録材の表面から反射する反射光を読み取ることにより前記記録材表面の映像を得る映像読取手段と、
前記映像読取手段によって、搬送中の前記記録材表面の画像を読み取る際に、前記搬送手段を制御して前記所定の速度で搬送する場合の移動距離よりも少ない移動距離となる搬送状態で前記記録材を搬送する搬送制御手段と、
前記映像読取手段によって前記記録材表面の映像を読み取らせ、得られた前記記録材表面の映像を用いて該記録材表面の属性を判定する反射型判定手段と
を備え、前記画像形成手段は、前記反射型判定手段により得られた属性に基づいて前記記録材の種類を判別して前記記録材に画像形成を行うことを特徴とする画像形成装置。
【請求項２】
前記反射型判定手段は、前記得られた記録材表面の映像を用いて映像読取雑音に係わるデータを算出し、さらに前記映像読取手段によって前記記録材表面の映像を１回読み取らせ、当該得られた１つの映像から前記算出された映像読取雑音に係わるデータを除去する演算手段をさらに含み、当該除去された１つの映像を用いて該記録材表面の属性を判定することを特徴とする請求項１に記載の画像形成装置。
【請求項３】
前記搬送制御手段は、前記記録材が前記映像読取手段により読み取られる際の搬送速度を前記所定の速度よりも低い速度に設定することにより、前記所定の速度で搬送する場合の移動距離よりも少ない移動距離とすることを特徴とする請求項１または２に記載の画像形成装置。
【請求項４】
前記搬送制御手段は、前記記録材が前記映像読取手段により読み取られる際に前記記録材を停止させる動作と搬送させる動作とを繰り返し実行することにより、前記所定の速度で搬送する場合の移動距離よりも少ない移動距離とすることを特徴とする請求項１、２または３に記載の画像形成装置。
【請求項５】
前記反射型判定手段は、前記搬送手段によって記録材を搬送させつつ前記映像読取手段によって前記記録材表面の映像を複数回読み取らせて、得られた複数の映像を用いて前記記録材表面の属性を判定することを特徴とする請求項１ないし４のいずれかに記載の画像形成装置。
【請求項６】
記録材に画像を形成するために所定の速度で該記録材を搬送する搬送手段と、
潜像を担持する潜像担持体と、該潜像担持体に現像剤を付与することにより前記潜像を現像剤像として可視化する現像手段と、
前記搬送手段により搬送される該記録材に該現像手段による該現像剤像を転写する転写手段と、該転写手段によって前記現像剤像を転写された前記記録材を定着させる定着手段と、
前記記録材に光を照射する光照射手段および該光照射手段により照射され該記録材の表面から反射する反射光を読み取ることにより前記記録材表面の映像を得る映像読取手段と、
前記映像読取手段によって、搬送中の前記記録材表面の画像を読み取る際に、前記搬送手段を制御して前記所定の速度で搬送する場合の移動距離よりも少ない移動距離とするように前記記録材の搬送状態を制御する搬送制御手段と、
前記映像読取手段によって前記記録材表面の映像を読み取らせ、得られた前記記録材表面の映像を用いて該記録材表面の属性を判定する反射型判定手段と
を備え、前記現像手段および定着手段は、前記反射型判定手段により得られた属性に基づいて前記記録材の種類を判別し、当該判別された種類に対応する前記画像形成処理条件により前記記録材に前記現像剤像の画像形成を行うことを特徴とする画像形成装置。
【請求項７】
前記反射型判定手段は、前記得られた記録材表面の映像を用いて映像読取雑音に係わるデータを算出し、さらに前記映像読取手段によって前記記録材表面の映像を１回読み取らせ、当該得られた１つの映像から前記算出された映像読取雑音に係わるデータを除去する演算手段をさらに含み、当該除去された１つの映像を用いて該記録材の所定の属性を判定することを特徴とする請求項６に記載の画像形成装置。
【請求項８】
前記搬送制御手段は、前記記録材が前記映像読取手段により読み取られる際の搬送速度を前記所定の速度よりも低い速度に設定することにより、前記所定の速度で搬送する場合の移動距離よりも少ない移動距離とすることを特徴とする請求項６または７に記載の画像形成装置。
【請求項９】
前記搬送制御手段は、前記記録材表面の映像を前記映像読取手段により読み取る際に、停止させる動作と搬送させる動作とを繰り返し実行することにより、前記所定の速度で搬送する場合の移動距離よりも少ない移動距離とすることを特徴とする請求項６、７または８に記載の画像形成装置。
【請求項１０】
前記反射型判定手段は、前記搬送手段によって記録材を搬送させつつ前記映像読取手段によって前記記録材表面の映像を複数回読み取らせて、得られた複数の映像を用いて前記記録材の所定の属性を判定することを特徴とする請求項６ないし９のいずれかに記載の画像形成装置。
【請求項１１】
記録材に画像を形成するために所定の速度で該記録材を搬送する搬送ステップと、
画像形成手段により前記記録材に画像を形成させるステップと、
前記搬送手段によって、搬送中の記録材を映像読取手段により記録材に光を照射する光照射手段により照射され該記録材の表面から反射する反射光を読み取ることにより記録材表面の映像を得る映像読取ステップと、
前記映像読取ステップで得られた前記記録材表面の映像を用いて反射型判定手段により該記録材表面の属性を判定する反射型判定ステップと、
当該得られた属性に基づいて前記記録材の種類を判別するステップと
を備え、
前記映像読取ステップは、前記搬送手段を制御して前記所定の速度で搬送する場合の移動距離よりも少ない移動距離とするように前記記録材の搬送状態を制御するステップを含むことを特徴とする画像形成方法。
【請求項１２】
記録材に光を照射して、前記記録材の表面から反射する反射光を読み取って前記記録材表面の映像を得る映像読取部；
前記記録材を所定速度で搬送する搬送部；および、
前記映像読取部によって前記記録材表面の映像を読み取る際に、前記記録材を前記所定速度で搬送する場合の搬送状態とは異なる搬送状態で搬送させながら、前記読取部によって前記記録材表面の映像を読み取らせ、得られた前記記録材表面の映像を用いて前記記録材の属性を判定する判定部；
を備えたことを特徴とする記録材判別装置。
【請求項１３】
前記判定部は、前記得られた複数の記録材表面の映像を用いて映像読取雑音に係わるデータを算出し、前記映像読取雑音に係わるデータを用いて、前記記録材の所定の属性を判定することを特徴とする請求項１２に記載の記録材判別装置。
【請求項１４】
前記異なる搬送状態とは、前記読取装置により読み取られる際の前記記録材の搬送速度を前記所定速度よりも低くすることにより、前記記録材の移動距離を前記所定速度で搬送する場合の移動距離よりも少ない移動距離とすることを特徴とする請求項１２または１３に記載の記録材判別装置。
【請求項１５】
前記搬送制御部は、前記読取装置により読み取られる際に前記記録材の搬送を所定時間停止させることにより、前記記録材の移動距離を前記所定速度で搬送する場合の移動距離よりも少ない移動距離とすることを特徴とする請求項１２、１３または１４に記載の記録材判別装置。
【請求項１６】
前記判定部は、前記読取部によって前記記録材表面の映像を複数回読み取らせ、得られた複数の前記記録材表面の映像を用いて前記記録材の属性を判定することを特徴とする請求項１２ないし１５のいずれかに記載の記録材判別装置。
【請求項１７】
記録材を所定速度で搬送する搬送ステップ；
前記記録材に光を照射して、照射され前記記録材の表面から反射する反射光を読み取ることにより前記記録材表面の映像を得る映像読取ステップ；および、
前記映像読取ステップにおいて、前記記録材を前記所定速度で搬送する場合の搬送状態とは異なる搬送状態で搬送させながら、前記記録材表面の映像を読み取らせ、得られた前記記録材表面の映像を用いて前記記録材の属性を判定する判定ステップ；
を有することを特徴とする記録材判別方法。
【請求項１８】
記録材の画像を形成するために所定の速度で該記録材を搬送する搬送部；
前記搬送手段により搬送される前記記録材に画像を形成する画像形成部； 
前記記録材に光を照射して、前記記録材の表面から反射する反射光を読み取って前記記録材表面の映像を得る読取部；および、
前記読取部によって、搬送中の前記記録材表面の画像が読み取られる際、前記記録材を所定速度で搬送する場合の搬送状態とは異なる搬送状態で搬送させながら、前記読取部によって前記記録材表面の映像を読み取らせ、得られた前記記録材表面の映像を用いて、前記画像形成部の画像形成条件を変更する制御部；
を有することを特徴とする画像形成装置。
【手続補正２】
【補正対象書類名】明細書
【補正対象項目名】０００９
【補正方法】変更
【補正の内容】
【０００９】
このような目的を達成するために、本発明の画像形成装置は、記録材の画像を形成するために、所定の速度で該記録材を搬送する搬送手段と、記録材に画像を形成する画像形成手段と、記録材に光を照射する光照射手段および光照射手段により照射され記録材の表面から反射する反射光を読み取ることにより記録材表面の映像を得る映像読取手段と、映像読取手段によって、搬送中の前記記録材表面の画像を読み取る際に、搬送手段を制御して所定の速度で搬送する場合の移動距離よりも少ない移動距離となる搬送状態で記録材を搬送する搬送制御手段と、映像読取手段によって記録材表面の映像を読み取らせ、得られた記録材表面の映像を用いて記録材表面の属性を判定する反射型判定手段とを備え、画像形成手段は、反射型判定手段により得られた属性に基づいて記録材の種類を判別して記録材に画像形成を行うことを特徴とする。
【手続補正３】
【補正対象書類名】明細書
【補正対象項目名】００１０
【補正方法】変更
【補正の内容】
【００１０】
本願発明の画像形成装置は、記録材に画像を形成するために所定の速度で該記録材を搬送する搬送手段と、潜像を担持する潜像担持体と、潜像担持体に現像剤を付与することにより潜像を現像剤像として可視化する現像手段と、搬送手段により搬送される記録材に現像手段による現像剤像を転写する転写手段と、転写手段によって現像剤像を転写された記録材を定着させる定着手段と、記録材に光を照射する光照射手段および光照射手段により照射され記録材の表面から反射する反射光を読み取ることにより記録材表面の映像を得る映像読取手段と、映像読取手段によって、搬送中の前記記録材表面の画像を読み取る際に、搬送手段を制御して所定の速度で搬送する場合の移動距離よりも少ない移動距離とするように記録材の搬送状態を制御する搬送制御手段と、映像読取手段によって記録材表面の映像を読み取らせ、得られた記録材表面の映像を用いて記録材表面の属性を判定する反射型判定手段とを備え、現像手段および定着手段は、反射型判定手段により得られた属性に基づいて記録材の種類を判別し、判別された種類に対応する画像形成処理条件により記録材に現像剤像の画像形成を行うことを特徴とする。
【手続補正４】
【補正対象書類名】明細書
【補正対象項目名】００１１
【補正方法】変更
【補正の内容】
【００１１】
本発明の画像形成方法は、記録材に画像を形成するために所定の速度で記録材を搬送する搬送ステップと、画像形成手段により記録材に画像を形成させるステップと、搬送手段によって、搬送中の記録材を映像読取手段により記録材に光を照射する光照射手段により照射され記録材の表面から反射する反射光を読み取ることにより記録材表面の映像を得る映像読取ステップと、映像読取ステップで得られた記録材表面の映像を用いて反射型判定手段により記録材表面の属性を判定する反射型判定ステップと、得られた属性に基づいて記録材の種類を判別するステップとを備え、映像読取ステップは、搬送手段を制御して所定の速度で搬送する場合の移動距離よりも少ない移動距離とするように記録材の搬送状態を制御するステップを含むことを特徴とする。
【手続補正５】
【補正対象書類名】明細書
【補正対象項目名】００１２
【補正方法】変更
【補正の内容】
【００１２】
本発明の記録材判別装置は、記録材に光を照射して、記録材の表面から反射する反射光を読み取って記録材表面の映像を得る映像読取部；記録材を所定速度で搬送する搬送部；および、映像読取部によって記録材表面の映像を読み取る際に、記録材を所定速度で搬送する場合の搬送状態とは異なる搬送状態で搬送させながら、読取部によって記録材表面の映像を読み取らせ、得られた記録材表面の映像を用いて記録材の属性を判定する判定部；を備えたことを特徴とする。
【手続補正６】
【補正対象書類名】明細書
【補正対象項目名】００１３
【補正方法】変更
【補正の内容】
【００１３】
本発明の記録材判別方法は、記録材を所定速度で搬送する搬送ステップ；記録材に光を照射して、照射され記録材の表面から反射する反射光を読み取ることにより記録材表面の映像を得る映像読取ステップ；および、映像読取ステップにおいて、記録材を所定速度で搬送する場合の搬送状態とは異なる搬送状態で搬送させながら、記録材表面の映像を読み取らせ、得られた記録材表面の映像を用いて記録材の属性を判定する判定ステップ；を有することを特徴とする。
【手続補正７】
【補正対象書類名】明細書
【補正対象項目名】００１４
【補正方法】変更
【補正の内容】
【００１４】
本発明の画像形成装置は、記録材の画像を形成するために所定の速度で該記録材を搬送する搬送部；搬送手段により搬送される記録材に画像を形成する画像形成部；記録材に光を照射して、記録材の表面から反射する反射光を読み取って記録材表面の映像を得る読取部；および、読取部によって、搬送中の記録材が読み取られる際、記録材を所定速度で搬送する場合の搬送状態とは異なる搬送状態で搬送させながら、読取部によって記録材表面の映像を読み取らせ、得られた記録材表面の映像を用いて、画像形成部の画像形成条件を変更する制御部；を有することを特徴とする。